(57)【要約】【課題】グラントフリーリソースを使用したアップリンクデータの送信を改善させる。【解決手段】  無線通信ネットワークにデータを送信するための通信デバイスを動作させる方法は、上記無線通信ネットワークによって提供される無線アクセスインタフェースの物理アップリンク共有チャネルのグラントフリーリソース上で送信用のアップリンクデータを処理して、上記送信用のアップリンクデータの１つ以上のトランスポートブロックを形成することを含む。上記グラントフリーリソースは、上記アップリンクデータを送信するための上記無線アクセスインタフェースの複数の時間分割単位の各々において上記物理アップリンク共有チャネルの通信リソースを提供する。上記方法は、上記グラントフリーリソースにおける上記アップリンクデータを送信するための複数の構成のうちの1つを選択し、上記選択された構成に従って上記グラントフリーリソースにおける上記アップリンクデータを送信することを含む。上記複数の構成の各々は、グラントフリーリソースと、符号化されたデータユニットの各々が上記グラントフリーリソースにおいて送信される送信期間と、上記グラントフリーリソースにおいて上記アップリンクデータを送信するための上記無線アクセスインタフェースの上記複数の時間分割単位のうちの１つにおける上記送信期間の時間開始位置とを含み、上記時間開始位置および上記送信期間は、上記複数の構成の各々について独立である。独立した構成は異なる時間的開始位置および送信期間を提供することができ、これはアップリンクデータが生成される時間により良くマッチングされることができ、その結果、アップリンクデータはグラントフリーリソースにおいてより短いレイテンシで送信されることができる。【選択図】図１１
2022502933.tif 000002
【特許請求の範囲】
【請求項１】
無線通信ネットワークにデータを送信する通信デバイスを動作させる通信デバイス動作方法であって、
前記無線通信ネットワークによって提供される無線アクセスインタフェースの物理アップリンク共有チャネルのグラントフリーリソース上で送信用のアップリンクデータを処理して、前記送信用のアップリンクデータの１つ以上のトランスポートブロックを形成し、前記グラントフリーリソースは、前記アップリンクデータを送信するための前記無線アクセスインタフェースの複数の時間分割単位の各々において通信リソースを提供し、
前記グラントフリーリソースにおける前記アップリンクデータを送信するための複数の構成のうちの１つを選択し、
前記選択された構成に従って前記グラントフリーリソースにおける前記アップリンクデータを送信し、
前記複数の構成の各々は、グラントフリーリソースと、符号化されたデータユニットの各々が前記グラントフリーリソースにおいて送信される送信期間と、前記グラントフリーリソースにおいて前記アップリンクデータを送信するための前記無線アクセスインタフェースの前記複数の時間分割単位のうちの１つにおける前記送信期間の時間開始位置とを含み、前記時間開始位置および前記送信期間は、前記複数の構成の各々について独立である
通信デバイス動作方法。
【請求項２】
段落１に記載の通信デバイス動作方法であって、
前記送信用のアップリンクデータを処理することは、
送信用のアップリンクトランスポートブロックに前記アップリンクデータを形成し、
前記アップリンクトランスポートブロックの各々を符号化トランスポートブロックに符号化し、
前記符号化トランスポートブロックの各々から複数の符号化データユニットを形成すること
を含み、
前記符号化データユニットの各々は、前記グラントフリーリソースの通信リソースにおける前記送信期間の各々を形成する複数の送信機会の各々において繰り返し送信のために形成され、
各構成は、前記物理アップリンク共有チャネルの前記グラントフリーリソースにおける前記符号化データユニットを送信する独立の繰り返し回数を有し、各構成について独立の前記送信期間を提供する
通信デバイス動作方法。
【請求項３】
請求項１に記載の通信デバイス動作方法であって、
前記複数の構成の各々は、変調方式、誤り訂正符号化率、前記グラントフリーリソースの送信帯域幅、復調参照信号のパターン、送信用ビームパターン、送信電力、およびタイミングアドバンスの少なくとも１つを含む独立の通信パラメータを含み、前記トランスポートブロックの各々の符号化、前記アップリンクデータの形成、および前記アップリンクデータの送信のうちの少なくとも１つは、前記独立して設定された通信パラメータに従う
通信デバイス動作方法。
【請求項４】
請求項１に記載の通信デバイス動作方法であって、さらに、
前記グラントフリーリソース上の第１の送信用のアップリンクデータを前記複数の構成のうちの第１の構成に従って処理し、
前記グラントフリーリソース上の第２の送信用のアップリンクデータを前記複数の構成のうちの第２の構成に従って処理し、
前記グラントフリーリソースにおける前記第１のアップリンクデータを前記選択された第１の構成に従って送信し、
前記第２のアップリンクデータが前記第１のアップリンクデータよりも高い相対的な送信優先度を有すると判定し、
前記第１のアップリンクデータと前記第２のアップリンクデータとの間の相対的な優先度に従って、前記第１のアップリンクデータの送信に優先して、前記第２の構成による前記第２のアップリンクデータの送信をスケジューリングする
通信デバイス動作方法。
【請求項５】
請求項４に記載の通信デバイス動作方法であって、さらに、
前記第２の構成に従って前記第２のアップリンクデータを送信することを含み、
前記第２のアップリンクデータを送信することは、
前記第１のアップリンクデータの１つ以上の前記トランスポートブロックを送信することが、前記第２のアップリンクデータの１つ以上の前記トランスポートブロックを送信することと同時に前記グラントフリーアップリンクの通信リソースのうちの同じ通信リソースを必要とすると判断し、
前記第１のアップリンクデータの前記１つ以上のトランスポートブロックの代わりに、前記第１のアップリンクデータの前記１つ以上のトランスポートブロックが送信された通信リソースと同じ通信リソース上で、前記第１のアップリンクデータよりも高い優先度を有する前記第２のアップリンクデータの前記１つ以上のトランスポートブロックを前記第２の構成により送信する
ことを含む
通信デバイス動作方法。
【請求項６】
請求項５に記載の通信デバイス動作方法であって、
前記第１のアップリンクデータの前記１つ以上のトランスポートブロックを送信することは、前記第１のアップリンクデータの前記１つ以上のトランスポートブロックの送信を、より高い優先度を有する前記第２のアップリンクデータの送信と競合しないように適合させることによって、前記第２のアップリンクデータの前記１つ以上のトランスポートブロックと競合する同じ通信リソース上で送信されたであろう前記第２のアップリンクデータよりも低い優先度を有する前記第１のアップリンクデータの前記１つ以上のトランスポートブロックを送信することを含む
通信デバイス動作方法。
【請求項７】
請求項６に記載の通信デバイス動作方法であって、
前記送信することを適合させることは、前記第２のアップリンクデータの前記１つ以上のトランスポートブロックと競合する同じ通信リソース上で送信されたであろう前記第２のアップリンクデータよりも低い優先度を有する前記第１のアップリンクデータの前記１つ以上のトランスポートブロックの送信を停止することを含む
通信デバイス動作方法。
【請求項８】
請求項６に記載の通信デバイス動作方法であって、
前記送信することを適応させることは、前記グラントフリーアップリンクの通信リソース上の前記第２のアップリンクデータの送信が完了するまで、前記第２のアップリンクデータの前記１つ以上のトランスポートブロックと競合する同じ通信リソース上で送信されたであろう前記第２のアップリンクデータよりも低い優先度を有する前記第１のアップリンクデータの前記１つ以上のトランスポートブロックの送信を延期することを含む
通信デバイス動作方法。
【請求項９】
請求項６に記載の通信デバイス動作方法であって、
前記送信することを適合させることは、前記第２のアップリンクデータの前記１つ以上のトランスポートブロックと競合する同じ通信リソース上で送信されたであろう前記第２のアップリンクデータよりも低い優先度を有する前記第１のアップリンクデータの前記１つ以上のトランスポートブロックの送信を多重化することを含む
通信デバイス動作方法。
【請求項１０】
請求項４に記載の通信デバイス動作方法であって、
前記第１の構成および前記第２の構成の前記グラントフリーリソースは、周波数領域においてオーバーラップされる
通信デバイス動作方法。
【請求項１１】
請求項４に記載の通信デバイス動作方法であって、
前記第１のアップリンクデータを送信することを適応させることの前記第１のアップリンクデータの受信機に通知を送信することを含む
通信デバイス動作方法。
【請求項１２】
無線通信ネットワークにデータを送信するように構成された通信デバイスであって、
前記無線通信ネットワークによって提供される無線アクセスインタフェースを介して信号を送信するように構成された送信回路と、
前記送信回路と組み合わせて、
前記無線通信ネットワークによって提供される無線アクセスインタフェースの物理アップリンク共有チャネルのグラントフリーリソース上で送信用のアップリンクデータを処理して、前記送信用のアップリンクデータの１つ以上のトランスポートブロックを形成し、前記グラントフリーリソースは、前記アップリンクデータを送信するための前記無線アクセスインタフェースの複数の時間分割単位の各々において通信リソースを提供し、
前記グラントフリーリソースにおける前記アップリンクデータを送信するための複数の構成のうちの１つを選択し、
前記選択された構成に従って前記グラントフリーリソースにおける前記アップリンクデータを送信するように構成された制御回路と
を含み、
前記複数の構成の各々は、グラントフリーリソースと、符号化されたデータユニットの各々が前記グラントフリーリソースにおいて送信される送信期間と、前記グラントフリーリソースにおいて前記アップリンクデータを送信するための前記無線アクセスインタフェースの前記複数の時間分割単位のうちの１つにおける前記送信期間の時間開始位置とを含み、前記時間開始位置および前記送信期間は、前記複数の構成の各々について独立である
通信デバイス。
【請求項１３】
請求項１２に記載の通信デバイスであって、
前記制御回路は、前記送信回路により、
前記アップリンクデータを前記送信用のアップリンクトランスポートブロックに形成し、
前記アップリンクトランスポートブロックの各々を符号化トランスポートブロックに符号化し、
前記符号化トランスポートブロックの各々から複数の符号化データユニットを形成する
ように構成され、
前記符号化データユニットの各々は、前記グラントフリーリソースの通信リソースにおける前記送信期間の各々を形成する複数の送信機会の各々において繰り返し送信のために形成され、各構成は、前記物理アップリンク共有チャネルの前記グラントフリーリソースにおける前記符号化データユニットを送信する独立の繰り返し回数を有し、各構成について独立の前記送信期間を提供する
通信デバイス。
【請求項１４】
請求項１２に記載の通信デバイスであって、
前記複数の構成の各々は、変調方式、誤り訂正符号化率、前記グラントフリーリソースの送信帯域幅、復調参照信号のパターン、送信用ビームパターン、送信電力、およびタイミングアドバンスの少なくとも1つを含む独立の通信パラメータを含み、前記トランスポートブロックの各々の符号化、前記アップリンクデータの形成、および前記アップリンクデータの送信のうちの少なくとも１つは、前記独立して設定された通信パラメータに従う
通信デバイス。
【請求項１５】
請求項１２つに記載の通信デバイスであって、
前記制御回路は、前記送信回路により、
前記グラントフリーリソース上の第１の送信用のアップリンクデータを前記複数の構成のうちの第１の構成に従って処理し、
前記グラントフリーリソース上の第２の送信用のアップリンクデータを前記複数の構成のうちの第２の構成に従って処理し、
前記グラントフリーリソースにおける前記第１のアップリンクデータを前記選択された第１の構成に従って送信し、
前記第２のアップリンクデータが前記第１のアップリンクデータよりも高い相対的な送信優先度を有すると判定し、
前記第１のアップリンクデータと前記第２のアップリンクデータとの間の相対的な優先度に従って、前記第１のアップリンクデータの送信に優先して、前記第２の構成による前記第２のアップリンクデータの送信をスケジューリングする
ように構成される
通信デバイス。
【請求項１６】
請求項１５に記載の通信デバイスであって、
前記制御回路は、前記送信回路により、
前記第１のアップリンクデータの１つ以上の前記トランスポートブロックを送信することが、前記第２のアップリンクデータの１つ以上の前記トランスポートブロックを送信することと同時に前記グラントフリーアップリンクの通信リソースのうちの同じ通信リソースを必要とすると判断し、
前記第１のアップリンクデータの前記１つ以上のトランスポートブロックの代わりに、前記第１のアップリンクデータの前記１つ以上のトランスポートブロックが送信された通信リソースと同じ通信リソース上で、前記第１のアップリンクデータよりも高い優先度を有する前記第２のアップリンクデータの前記１つ以上のトランスポートブロックを前記第２の構成により送信する
ように構成される
通信デバイス。
【請求項１７】
請求項１６に記載の通信デバイスであって、
前記制御回路は、前記送信回路により、
前記第１のアップリンクデータの前記１つ以上のトランスポートブロックの送信を、より高い優先度を有する前記第２のアップリンクデータの送信と競合しないように適合させることによって、前記第２のアップリンクデータの前記１つ以上のトランスポートブロックと競合する同じ通信リソース上で送信されたであろう前記第２のアップリンクデータよりも低い優先度を有する前記第１のアップリンクデータの前記１つ以上のトランスポートブロックを送信する
するように構成される
通信デバイス。
【請求項１８】
無線通信ネットワークにデータを送信するように構成された回路であって、
前記無線通信ネットワークによって提供される無線アクセスインタフェースを介して信号を送信するように構成された送信回路と、
前記送信回路と組み合わせて、
前記無線通信ネットワークによって提供される無線アクセスインタフェースの物理アップリンク共有チャネルのグラントフリーリソース上で送信用のアップリンクデータを処理して、前記送信用のアップリンクデータの１つ以上のトランスポートブロックを形成し、前記グラントフリーリソースは、前記アップリンクデータを送信するための前記無線アクセスインタフェースの複数の時間分割単位の各々において通信リソースを提供し、
前記グラントフリーリソースにおける前記アップリンクデータを送信するための複数の構成のうちの１つを選択し、
前記選択された構成に従って前記グラントフリーリソースにおける前記アップリンクデータを送信するように構成された制御回路と
を含み、
前記複数の構成の各々は、グラントフリーリソースと、符号化されたデータユニットの各々が前記グラントフリーリソースにおいて送信される送信期間と、前記グラントフリーリソースにおいて前記アップリンクデータを送信するための前記無線アクセスインタフェースの前記複数の時間分割単位のうちの１つにおける前記送信期間の時間開始位置とを含み、前記時間開始位置および前記送信期間は、前記複数の構成の各々について独立である
回路。
【発明の詳細な説明】
【技術分野】
【０００１】
本開示は、無線通信ネットワークにおいてグラントフリーリソースを使用してアップリンクデータを通信するための通信デバイス、通信デバイスを動作させる方法、インフラ機器、および方法に関する。
【０００２】
本出願は、欧州特許出願第18197372.8号に対するパリ条約の優先権を主張するものであり、その内容が参照により本明細書に援用される。
【背景技術】
【０００３】
本明細書で提供される「背景技術」の説明は、本開示の背景を一般的に提示するためのものである。この背景技術の項に記載されている限りにおいて、ここに名を挙げられた発明者らの研究および出願時に先行技術としてみなされない記述の態様は、本発明に対する先行技術として明示的にも暗示的にも認められない。
【０００４】
３ＧＰＰ定義のＵＭＴＳおよびＬＴＥ（Long Term Evolution）アーキテクチャに基づく移動通信システム等の第３世代および第４世代移動通信システムは、前の世代の移動通信システムが提供する単純な音声およびメッセージングサービスよりも高度なサービスをサポートすることができる。例えば、ＬＴＥシステムが提供する改善された無線インタフェースおよび拡張されたデータレートを用いて、ユーザは、以前は固定回線データ接続を介してのみ利用可能であったモバイルビデオストリーミングおよびモバイルビデオ会議等の高データレートアプリケーションを享受することができる。したがって、そのようなネットワークを配備する要求は強く、これらのネットワークのカバレッジエリア、すなわち、ネットワークへのアクセスが可能な地理的位置は、ますます急速に増加することが予想され得る。
【０００５】
将来の無線通信ネットワークは、現在のシステムがサポートするように最適化されているものよりも、より広範囲のデータトラフィックプロファイルおよびデータトラフィックタイプに関連するより広範囲のデバイスを用いて、通信を日常的かつ効率的にサポートすることが期待される。例えば、将来の無線通信ネットワークは、複雑さが低減された装置、マシンタイプ通信（ＭＴＣ）装置、高解像度ビデオディスプレイ、仮想現実ヘッドセット等を含む装置との通信を効率的にサポートすることが期待される。これらの異なるタイプのデバイスのうちのいくつかは非常に多数、例えば、「物のインターネット（Internet of Things）」をサポートするための低複雑度のデバイスに配備されてもよく、典型的には、比較的高いレイテンシ耐性を有する比較的少量のデータの送信に関連していてもよい。
【０００６】
この観点から、将来の無線通信ネットワーク、例えば、５Ｇまたは新しい無線（ＮＲ）システム／新しい無線アクセス技術（ＲＡＴ）システムと呼ばれ得る無線通信ネットワーク、ならびに既存のシステムの将来のイテレーション／リリースが異なるアプリケーションおよび異なる特性データトラフィックプロファイルに関連する広範囲のデバイスのための接続性を効率的にサポートして異なるサービスをサポートすることが望まれると予想される。
【０００７】
新しいサービスの一例は、超高信頼低遅延通信（ＵＲＬＬＣ）サービスと呼ばれ、その名前が示唆するように、データユニットまたはパケットが高い信頼性、かつ、低い通信遅延で通信されることを必要とする。したがって、ＵＲＬＬＣタイプのサービスは、ＬＴＥタイプの通信システムおよび５Ｇ／ＮＲ通信システムの両方にとって、難しい例である。
【０００８】
異なるトラフィックプロファイルに関連する異なるタイプの端末装置の使用の増加により、対処される必要がある無線電気通信システムにおける通信を効率的に取り扱うための新たな課題が生じる。例えば、アップリンクデータおよびダウンリンクデータを送信するためにグラントフリーリソースが提供され、これにより、アップリンク/ダウンリンクデータの送信レイテンシを短縮することができる。
【０００９】
しかしながら、グラントフリーリソースを使用して実現可能な低いレイテンシを利用するためのデータの送信および受信のために、いくつかのさらなる適合が必要とされる可能性がある。
【先行技術文献】
【非特許文献】
【００１０】
【非特許文献１】Holm a H. and Toskala A,"LTE for UMTS OFDMA and SC-FDMA based radio access", John Wiley and Sons, 2009.
【非特許文献２】RP- 172834,"Work Item on New Radio (NR) Access Technology," NTT DOCOMO, RAN#78
【非特許文献３】RP-181477,"New SID on Physical Payer Enhancements for NR UREEC," Huawei, HiSilicon, Nokia, Nokia Shanghai Bell, RAN#80.
【非特許文献４】R1-1809979, Summary of 7.2.6.3 Enhanced UL grant-free transmissions, NTT DOCOMO, RANl#94.
【発明の概要】
【発明が解決しようとする課題】
【００１１】
本開示は、上述の問題のうちの少なくともいくつかに対処し、あるいは軽減するのに役立てることができる。
【課題を解決するための手段】
【００１２】
本技術の実施形態は、無線通信ネットワークにデータを送信する通信デバイスを動作させる通信デバイス動作方法であって、上記無線通信ネットワークによって提供される無線アクセスインタフェースの物理アップリンク共有チャネルのグラントフリーリソース上で送信用のアップリンクデータを処理して上記送信用のアップリンクデータの１つ以上のトランスポートブロックを形成する通信デバイス動作方法を提供することができる。上記グラントフリーリソースは、上記アップリンクデータを送信するための上記無線アクセスインタフェースの複数の時間分割単位の各々において、上記物理アップリンク共有チャネルの通信リソースを提供する。上記通信デバイス動作方法は、上記グラントフリーリソースにおける上記アップリンクデータを送信するための複数の構成のうちの１つを選択し、上記選択された構成に従って上記グラントフリーリソースにおける上記アップリンクデータを送信することを含む。上記複数の構成の各々は、グラントフリーリソースと、符号化されたデータユニットの各々が上記グラントフリーリソースにおいて送信される送信期間と、上記グラントフリーリソースにおいて上記アップリンクデータを送信するための上記無線アクセスインタフェースの上記複数の時間分割単位のうちの１つにおける上記送信期間の時間開始位置とを含み、上記時間開始位置および上記送信期間は、上記複数の構成の各々について独立している。独立して設定された、または異なる時間的開始位置および独立して設定された、または異なる送信期間を有する独立した構成を提供することにより、上記アップリンクデータが送信されるべき必要な時間に従って、上記1つ以上のトランスポートブロックの生成の時間に一致するように構成を選択することができる。その結果、上記アップリンクデータを、上記グラントフリーリソースでより低いレイテンシで送信することができる。
【００１３】
他の実施形態によれば、上記アップリンクデータを送信するための上記複数の構成の各々は、上記アップリンクデータを送信するための異なる通信パラメータを含んでもよい。他の実施形態によれば、上記グラントフリーリソースにおいて上記アップリンクデータを送信するための上記複数の構成の各々は、異なる構成に従って上記アップリンクデータを送信することに関して、上記アップリンクデータを送信するための相対的な優先度を含む。このように、同じアップリンクグラントフリーリソースにアクセスする競合の可能性がある場合、優先度の低い上記構成のうちの１つによる上記アップリンクデータの送信は、優先度の高い構成による上記アップリンクデータの送信と競合しないように適合される。
【００１４】
本技術の実施形態は、さらに、インフラ機器、通信デバイス、および通信デバイスを動作させる方法、ならびにインフラ機器、および通信デバイスおよびインフラ機器のための方法および回路に関し、グラントフリーリソースを使用したアップリンクデータの送信を改善させることができる。
【００１５】
本開示のそれぞれの態様および特徴は、添付の特許請求の範囲において定義される。
【００１６】
前述の一般的な説明および以下の詳細な説明の両方が、本技術の例示であるが、限定的なものではないことを理解されたい。説明される実施形態は、さらなる利点とともに、添付の図面と併せて以下の詳細な説明を参照することによって最もよく理解されるであろう。
【図面の簡単な説明】
【００１７】
【図１】図１は、本開示のある実施形態に従って動作するように構成され得るＬＴＥタイプの無線電気通信システムのいくつかの態様を概略的に示す。
【図２】図２は、本開示のある実施形態に従って動作するように構成され得る新しい無線アクセス技術（ＲＡＴ）無線電気通信システムのいくつかの態様を概略的に示す。
【図３】図３は、例示的な実施形態に従って構成された例示的なインフラ機器および通信デバイスの概略ブロック図である。
【図４】図４は、無線アクセスインタフェースの時間分割単位のフレーム、サブフレーム、およびスロット構造を示す図１７に示される無線アクセスインタフェースのアップリンクを簡略化して示す概略図である。
【図５】図５は、通信デバイスによるグラントフリーアクセスのために構成された通信リソースを含むように適合された、図４に示す無線アクセスインタフェースのアップリンクの図である。
【図６】図６は、図５に示すアップリンクグラントフリーリソースを使用してアップリンクデータを送信するように構成された例示的な送信機（通信デバイスの受信機およびコントローラも示す）の概略ブロック図である。
【図７】図７は、図５に示すアップリンクグラントフリーリソースを介して送信されたアップリンクデータを受信するように構成された例示的な受信機の概略ブロック図である。
【図８】図８は、時分割スロットの各々が２つのミニスロットに分割され、符号化されたデータユニットがミニスロットの送信期間で繰り返し送信される通信デバイスによるグラントフリーアクセスのために構成された通信リソースを含むように適合された、図４に示す無線アクセスインタフェースのアップリンクの図である。
【図９】図９は、グラントフリーリソースを使用して送信機会において符号化されたデータユニットを繰り返し送信することにより送信期間を形成する無線アクセスインタフェースのグラントフリーアップリンクの図であり、送信期間に対する繰り返しの開始のミスアラインメントを示す。
【図１０】図１０は、グラントフリーリソースを使用して送信機会において符号化されたデータユニットを繰り返し送信することにより送信期間を形成する無線アクセスインタフェースのグラントフリーアップリンクの別の例を示す図であり、アップリンクデータ送信のレイテンシを低減するために時間的にずれた２つの構成例を示す。
【図１１】図１１は、グラントフリーリソースを使用して送信機会において符号化されたデータユニットを繰り返し送信することにより送信期間を形成する無線アクセスインタフェースのグラントフリーアップリンクの別の例を示す図であり、アップリンクデータ送信のレイテンシを低減するために時間的にずれた２つの構成例および繰り返しの数が異なる例を示す。
【図１２】図１２は、グラントフリーリソースを使用して送信機会において符号化されたデータユニットを繰り返し送信することにより送信期間を形成する無線アクセスインタフェースのグラントフリーアップリンクの別の例を示す図であり、一方の構成のアップリンクデータユニットの送信が他方の構成と比較してアップリンクデータの相対的な優先度に従って適合される時間的にずれた２つの構成例を示す。
【図１３】図１３は、上記構成のうちの１つによるアップリンクデータの送信が当該送信を延期することを含む、図１２に示す例の例示的な図である。
【図１４】図１４は、上記構成のうちの１つによるアップリンクデータの送信が送信用の各構成のための符号化されたデータユニットを多重化することを含む、図１２に示す例の別の例を示す図である。
【図１５】図１５は、多重化の例示を提供する図１４のグラントフリーリソースにおけるアップリンク送信の例である。
【図１６】図１６は３ＧＰＰのＬＴＥ規格に係る無線アクセスインタフェースのダウンリンクの概略図である。
【図１７】図１７は、３ＧＰＰのＬＴＥ規格に係る無線アクセスインタフェースのアップリンクの概略図である。
【発明を実施するための形態】
【００１８】
本開示のより完全な理解およびそれに付随する利点の多くは、添付の図面に関連して考慮されるとき、以下の詳細な説明を参照することによってより良く理解されるので、容易に得られるであろう。添付の図面において、同様の参照番号は、いくつかの図を通して同一または対応する部分を示す。
ＬＴＥアドバンスド（Long Term Evolution Advanced）無線アクセス技術（４Ｇ）
【００１９】
図１は、一般にＬＴＥ原理に従って動作するが、他の無線アクセス技術もサポートすることができ、本明細書に記載するように、本開示の実施形態を実装するように適合させることができる移動通信ネットワーク／システム１００のいくつかの基本的な機能を示す概略図を提供する。図１の様々な要素およびそれらのそれぞれの動作モードのいくつかの態様はよく知られており、３ＧＰＰ（ＲＴＭ）本体によって管理される関連する規格において定義され、また、当該主題に関する多くの書籍、例えば、Holma H.およびToskala A（非特許文献２）にも記載されている。本明細書に記載されている電気通信ネットワークの動作態様であって、（例えば、異なる要素間で通信するための特定の通信プロトコルおよび物理チャネルに関して）特に説明されていないものは、任意の既知の技術、例えば、関連する規格および当該関連する規格に対する既知の提案された修正および追加に従って実装され得ることが理解されよう。
【００２０】
ネットワーク１００は、コアネットワーク部１０２に接続された複数の基地局１０１を含む。各基地局は、通信デバイス１０４との間でデータを通信することができるカバレッジエリア１０３（例えば、セル）を提供する。データは、基地局１０１から、それぞれのカバレッジエリア１０３内の通信デバイス１０４に、無線ダウンリンクを介して送信される。データは、無線アップリンクを介して通信デバイス１０４から基地局１０１に送信される。コアネットワーク部１０２は、それぞれの基地局１０１を介して通信デバイス１０４との間でデータの送受信を行うものであり、認証、移動管理、課金等の機能を提供する。通信デバイスは、移動端末、ユーザ機器（ＵＥ）、ユーザ端末、移動無線機、通信装置等と呼ばれることもある。ネットワークインフラ機器／ネットワークアクセスノードの一例である基地局は、トランシーバ局／ノードＢｓ／ｅノードＢｓ、ｇノードＢｓ（ｇＮＢ）等と呼ばれることもある。この点で、異なる用語が、広く同等の機能を提供する要素のための異なる世代の無線電気通信システムに関連することも多い。しかしながら、本開示の例示的な実施形態は、後述の５Ｇや新しい無線（new radio）等の異なる世代の無線電気通信システムにおいて同様に実装されてもよく、簡潔にするために、基礎となるネットワークアーキテクチャにかかわらず、特定の用語を使用してもよい。すなわち、特定の実施例に関連する特定の用語の使用は、これらの実施例がその特定の用語に最も関連する可能性のある特定の世代のネットワークに限定されることを示すことを意図していない。
新しい無線アクセス技術（５Ｇ）
【００２１】
図２は、本明細書に記載する本開示の実施形態に係る機能を提供するように適合され得る、既に提案されている手法に基づく新しいＲＡＴ無線通信ネットワーク／システム３００のためのネットワークアーキテクチャを示す模式図である。図２に示す新しいＲＡＴネットワーク２００は、第１の通信セル２０１と第２の通信セル２０２とを含む。各通信セル２０１、２０２は、それぞれの有線または無線リンク２５１、２５２を介してコアネットワークコンポーネント２１０と通信する制御ノード（集約ノード）２２１、２２２を備える。また、各制御ノード２２１、２２２は、それぞれのセル内の複数の分散ノード（無線アクセスノード／遠隔送受信ポイント（ＴＲＰ））２１１、２１２と通信している。これらの通信も、それぞれの有線または無線リンクを介して行うことができる。分散ノード２１１、２１２は、ネットワークに接続された通信デバイスに無線アクセスインタフェースを提供する役割を果たす。各分散ノード２１１、２１２は、当該分散ノードのカバレッジエリアの全体が、制御ノードによる制御の下で、それぞれの通信セル２０１、２０２のカバレッジを共に定義するカバレッジエリア（無線アクセスフットプリント）２４１、２４２を有する。各分散ノード２１１、２１２は、無線信号の送受信のためのトランシーバ回路と、それぞれの分散ノード２１１、２１２を制御するように構成されたプロセッサ回路とを含む。
【００２２】
広範なトップレベル機能に関して、図２に示す新しいＲＡＴ通信ネットワークのコアネットワークコンポーネント２１０は、図１に示すコアネットワーク１０２に対応すると広く考えてもよく、それぞれの制御ノード２２１、２２２およびそれらの関連する分散ノード／ＴＲＰ２１１、２１２は、図１の基地局１０１に対応する機能を提供すると広く考えてもよい。ネットワークインフラ機器／アクセスノードという用語は、これらの要素、および無線通信システムのより従来的な基地局型要素を包含するために使用され得る。現在のアプリケーションに応じて、それぞれの分散ノードと通信デバイスとの間の無線インタフェース上でスケジュールされる送信をスケジュールする役目は、制御ノード／集約ノードおよび／または分散ノード／ＴＲＰが果たしてもよい。
【００２３】
図２には、第１の通信セル２０１のカバレッジエリア内の通信デバイス、すなわち、ＵＥ２６０が示されている。したがって、この通信装置２６０は、第１の通信セル２０１に関連する分散ノード２１１のうちの１つを介して、第１の通信セル内の第１の制御ノード２２１とシグナリングを交換することができる。所与の通信デバイスにおける通信が上記分散ノードのうちの1つのみを介してルーティングされることもあるが、所与の通信デバイスに関連する他のいくつかの実施例では、例えば、ソフトハンドオーバシナリオや他のシナリオにおける複数の分散ノードを介して通信がルーティングされてもよいことが理解されよう。
【００２４】
図２の例では、簡潔にするために、２つの通信セル２０１、２０２および１つの通信デバイス２６０が示されているが、言うまでもなく、実際には、システムがより多数の通信デバイスを提供する（それぞれの制御ノードおよび複数の分散ノードによってサポートされる）より多数の通信セルを備えてもよいことが理解されよう。
【００２５】
図２は、本明細書に記載する原理に係る手法が採用され得る新しいＲＡＴ通信システムのための提案されたアーキテクチャの単なる一例を示し、本明細書で開示する機能は、異なるアーキテクチャを有する無線通信システムに関しても適用され得ることがさらに理解されよう。
【００２６】
したがって、本明細書に記載する本開示の例示的な実施形態は、図１および図２に示す例示的なアーキテクチャ等の様々な異なるアーキテクチャに係る無線電気通信システム／ネットワークにおいて実装されてもよい。したがって、任意の所与の実施における特定の無線通信アーキテクチャは、本明細書に記載する原理にとって一義的なものではないことが理解されよう。この点に関して、本開示の例示的な実施形態は、一般に、ネットワークインフラ機器／アクセスノードと通信デバイスとの間の通信の観点から説明することができ、ネットワークインフラ機器／アクセスノードおよび通信デバイスの特定の性質は、現在における実施のためのネットワークインフラストラクチャに依存することになる。例えば、いくつかのシナリオでは、ネットワークインフラ機器／アクセスノードは、本明細書に記載する原理に従って機能を提供するように適合された、図１に示すようなＬＴＥタイプ基地局１０１等の基地局を備えることができる。他の例では、ネットワークインフラ機器／アクセスノードは、本明細書に記載する原理に従って機能を提供するように適合された、図２に示す種類の制御ユニット／制御ノード２２１、２２２および／またはＴＲＰ２１１、２１２を備えていてもよい。
【００２７】
ｇＮＢ１０１または制御ノード２２１とＴＲＰ２１１との組合せと考えてもよいＵＥ２７０および例示的なネットワークインフラ機器２７２のより詳細な説明を図３に示す。図３に示すように、ＵＥ２７０は、矢印２７４によって一般的に示されるように、無線アクセスインタフェースのグラントフリーリソースを介して、インフラ機器２７２にアップリンクデータを送信する。図１および図２と同様に、インフラ機器２７２において、インフラ機器２７２のコントローラ２８０はインタフェース２７８を介してコアネットワーク２７６に接続されている。インフラ機器２７２は、アンテナ２８４に接続された受信機２８２と、アンテナ２８４に接続された送信機２８６とを含む。これに対応して、ＵＥ２７０は、アンテナ２９４から信号を受信する受信機２９２に接続されたコントローラ２９０と、アンテナ２９４に接続された送信機２９６とを含む。
【００２８】
コントローラ２８０はインフラ機器２７２を制御するように構成され、本明細書でさらに説明するように、機能を提供するための各種サブユニット／サブ回路を含み得るプロセッサ回路を備えてもよい。これらのサブユニットは、個別のハードウェア要素として、またはプロセッサ回路の適切に構成された機能として実装されてもよい。従って、コントローラ２８０は、無線電気通信システムにおける機器のための従来のプログラミング／構成技術を用いて所望の機能を提供するように適切に構成／プログラミングされた回路を備えることができる。送信機２８６および受信機２８２は、従来の構成による信号処理および無線周波数フィルタ、増幅器、および回路を含んでもよい。送信機２８６、受信機２８２、およびコントローラ２８０は、表現を容易にするために、別個の要素として図３に概略的に示されている。しかしながら、これらの要素の機能は、例えば、１つ以上の適切にプログラミングされたプログラム可能なコンピュータ、または１つ以上の適切に構成された特定用途向け集積回路／回路／チップ／チップセットを用いて、様々な異なる方法で提供され得ることが理解されよう。インフラ機器１０１は、一般に、その操作機能に関連する様々な他の要素を備えることが理解されよう。
【００２９】
これに対応して、ＵＥ２７０のコントローラ２９０は送信機２９６および受信機２９２を制御するように構成され、本明細書でさらに説明するように、機能を提供するための各種サブユニット／サブ回路を備え得るプロセッサ回路を備えてもよい。これらのサブユニットは、個別のハードウェア要素として、またはプロセッサ回路の適切に構成された機能として実装されてもよい。したがって、コントローラ２９０は、無線電気通信システムにおける機器のための従来のプログラミング／構成技術を用いて所望の機能を提供するように適切に構成／プログラミングされた回路を備えてもよい。同様に、送信機２９６および受信機２９２は、従来の構成による信号処理および無線周波数フィルタ、増幅器、および回路を含んでもよい。送信機２９６、受信機２９２、およびコントローラ２９０は、表現を容易にするために、別個の要素として図３に概略的に示されている。しかしながら、これらの要素の機能は、例えば、１つ以上の適切にプログラミングされたプログラム可能なコンピュータ、または１つ以上の適切に構成された特定用途向け集積回路／回路／チップ／チップセットを用いて、様々な異なる方法で提供され得ることが理解されよう。通信デバイス１０４は、一般に、その操作機能に関連する様々な他の要素、例えば、電源、ユーザインタフェース等を備えるが、これらは、簡潔にするために、図３には示されていないことが理解されよう。
【００３０】
以下で説明する例示的な実施形態は、５Ｇまたは新しい無線（ＮＲ）アクセス技術と呼ばれるもの等の高度な無線通信システムに適用することができる。ＮＲについて考慮されるユースケースの例は、以下の通りである。
拡張モバイルブロードバンド（ｅＭＢＢ）
大規模マシンタイプ通信（ｍＭＴＣ）
超高信頼低遅延通信（ＵＲＬＬＣ）（非特許文献２）
【００３１】
ｅＭＢＢサービスは、２０Ｇｂ／ｓまでをサポートする必要がある高容量を特徴とする。ＵＲＬＬＣサービスの要件は、１ミリ秒のユーザプレーンレイテンシを有する３２バイトパケットの１回の送信に対して、１−１０−５（９９．９９９％）以上の信頼度である（非特許文献３）。実施形態は、特に、４Ｇおよび５Ｇ通信ネットワーク用の３ＧＰＰにおいて最近提案されたＵＲＬＬＣに適用することができる。いくつかの例では、ＵＲＬLＣ通信は、低レイテンシ（ユーザプレーンレイテンシターゲットがｌｍｓ）または高信頼性（ＵＲＬLＣ送信で許容可能なエラーレートが１０５）のいずれか、または低レイテンシと高信頼性（レイテンシと信頼性の両方のターゲットを同時に満たす必要がある）の両方を有する。
【００３２】
以下に説明する実施形態は、無線アクセスインタフェースのアップリンクのグラントフリーリソースを介してアップリンクデータを通信するためのより効率的な構成を提供する。これは、アップリンクグラントフリーリソースのタイミング構造がアップリンクデータが送信のために符号化されるタイミングと一致しない可能性があるためである。例示的な実施形態は、３ＧＰＰのＬＴＥ／４ＧおよびＮＲ／５Ｇによる提案された無線アクセスインタフェースをレビューすることでより理解することができる。ＬＴＥのための３ＧＰＰ規格による無線アクセスインタフェースは、図１６および図１７がそれぞれダウンリンクおよびアップリンクのための無線アクセスインタフェースの詳細な表現を提供する付属書１に詳細に記載されている。したがって、ＬＴＥ無線アクセスインタフェースのさらなる詳細は、付属書１に記載される。しかしながら、無線アクセスインタフェースはＬＴＥに精通しているものが理解するように、適切な制御信号を通信することによってアクセスされ得る、アップリンクおよびダウンリンクの両方のための共有チャネルを含む物理通信リソースを提供することが理解されよう。同様に、図２に表されるような５Ｇ規格の無線アクセスインタフェースは付属書１に示す構成に従って同様に形成されてもよく、ダウンリンク上でＯＦＤＭを使用し、アップリンク上でＯＦＤＭまたはＳＣ−ＦＤＭＡを使用してもよい。
【００３３】
図４は、ＮＲ無線アクセスインタフェース構造に基づくアップリンクフレーム／サブフレーム構造の簡略化された表現を提供する。図４では、例示的な実施形態の説明を助けるために、簡略化したアップリンクフレーム／サブフレーム構造が提供される。図４に示すように、無線アクセスインタフェースのアップリンクは、ＵＥ２７０がインフラ機器２７２にアップリンクデータを送信するためのフレーム３００を含む。付属書１に提供される説明と一致して、アップリンクは、各フレーム３００に１０個のサブフレーム３０１を含む。フレーム３００は１０ｍｓによって規定され、サブフレーム３０１は１ｍｓによって規定され、スロット３０２はサブキャリア間隔にかかわらず、１４個のＯＦＤＭシンボルによって規定される。図４では、３０ｋＨｚのサブキャリア間隔が想定されている。サブフレーム３１０の構成要素の拡大図は２つの連続するスロットｎ−１、ｎから形成されるように示され、図１５を参照して付属書１で説明されるように、共有チャネルならびに制御チャネルの物理リソースを含む。以下のセクションで説明されるように、インフラ機器からの要求およびグラントによるアップリンクチャネルの共有リソースへのＵＥによるアクセスはあるが、本技術の実施形態はアップリンク共有チャネル（ＰＵＳＣＨ）のリソースへのグラントフリーアクセスに適用することができる。したがって、ＵＥ２７０によるＵＲＬＬＣメッセージの送信は、より迅速により短い遅延で行うことができる。
グラントフリーリソースを使用したアップリンク通信の改善またはその関連
【００３４】
例えば、インフラ機器２７２のコントローラ２８０に制御されるようなＮＲまたは５Ｇ無線アクセスインタフェースの一態様は、アップリンクデータを送信するための通信リソースへのグラントフリーアクセスの提供である。従来のアップリンク送信では、データが通信デバイスの媒体アクセス制御（ＭＡＣ）プロトコル層のバッファに上位プロトコル層から到着すると、当該通信デバイスは、それに応じて、スケジューリングリクエスト（ＳＲ）をネットワークに送信してもよい。ＳＲは、ＭＡＣ層バッファ内のデータ量を示すバッファステータスレポート（ＢＳＲ）を含むことができる。ＳＲの受信に応答して、ネットワーク（例えば、インフラ機器）は、ダウンリンク制御情報（ＤＣＩ）によって搬送されるアップリンクグラントを通信デバイスに送信してもよい。ＤＣＩは、物理ダウンリンク制御チャネル（ＰＤＣＣＨ）上で送信され得る。
【００３５】
アップリンクグラントは、通信デバイスがそのアップリンクデータを送信するために割り当てられた(言い換えれば、スケジューリングされた)アップリンク通信リソースの指示を含んでもよい。アップリンク通信リソースは、物理アップリンク共有チャネル（ＰＵＳＣＨ）上にあってもよい。このタイプのリソース割り当ては、グラントベースリソースとして知られる。グラントベースリソースはデータが可変量で到着するサービス、および/または、そのようなデータトラフィック到着がいくらか予測可能なトラフィックパターンに従う場合でも非周期的であるサービスに適している。
【００３６】
一方、グラントフリーリソースは、アップリンク送信のための通信デバイスを使用するためにネットワークによって半静的に構成された、周期的に反復するアップリンク通信リソースのセットである。グラントフリーリソース割り当ては、生成される量が経時的にほぼ一定である定期的なデータトラフィックを生成するサービスに特に適している。
【００３７】
各アップリンクデータ送信に関してＳＲまたはアップリンクグラントのいずれかを送信する必要がないので、グラントフリーリソースにより、通信リソースを使用する効率を改善することができる。図４に示すフレーム／サブフレーム／スロット構造に基づいてアップリンク・データを通信するためのグラントフリーリソースを図５に示す。図５に示すように、１４個のＯＦＤＭシンボル３０３をそれぞれ含む２つのスロットｎ−１、ｎ（３０２．１、３０２．２）は、４から１１の番号のＯＦＤＭシンボルからなる各スロット３６０、３６２にグラントフリーリソースのセクションを含む。
【００３８】
例示的な実施形態によって対処される技術的問題の説明は、ＮＲのために提案される無線アクセスインタフェースのアップリンクのタイミング構造を考慮することによって理解され得る。図５に示すように、グラントフリーリソースは、各スロットの時間セクションにおいてアップリンクで提供される。
【００３９】
しかしながら、トランスポートブロックのデータユニットへの生成および符号化がグラントフリーリソースのタイミングと一致しない場合、符号化または送信方式が犠牲にされる、あるいはリソースが効率的に使用され得る。送信のための符号化されたデータユニットへのトランスポートブロックの符号化のタイミングは、図６および図７に提供されるＵＥ２７０の送信機２９６および受信機２９２のより詳細な例からより理解することができる。
【００４０】
図６に示すように、送信用のアップリンクデータは、例えば、媒体アクセス制御層によってトランスポートブロックに形成され、アップリンクデータトランスポートブロック４０１によって送信のために物理層に渡される。次いで、アップリンクトランスポートブロックは、各トランスポートデータブロック上の巡回冗長検査（ＣＲＣ）を計算してＣＲＣパリティチェックビットと誤りデータビットとを組み合わせて訂正エンコーダ４０４に渡すＣＲＣアタッチメントブロック４０２に供給される。誤り訂正エンコーダは、ＣＲＣおよびトランスポートブロックのデータビットを符号化して、グラントフリーリソース３６０、３６３上で送信するための誤り訂正符号化トランスポートブロック４４０を形成する。そして、誤り訂正符号化トランスポートブロックは、符号化データユニットフォーマ４０８および反復ブロック４１０を含むレートマッチング、反復、およびハイブリッド自動反復要求（ＨＡＲＱ：hybrid automatic repeat request）ブロック４０６によって受信される。レートマッチング、反復、およびＨＡＲＱブロック４０６は、コントローラ４１２によって制御され、アップリンクグラントフリーリソース上で送信ブロック４１４によって送信するための符号化データユニット４４２を生成する。
【００４１】
グラントフリーリソースにおけるＵＥ２７０から送信された無線信号を検出し、当該無線信号が表す符号化されたトランスポートブロックを復号化するためのインフラ機器２７２の受信機２８２の概略ブロック図を図７に示す。図７に示すように、検出ブロック５０１は、ＵＥ２７０からアップリンクグラントフリーリソース３６０、３６３上で送信されたデータの符号化されたユニットを検出する。以下に説明するように、各符号化されたトランスポートブロックを構成する符号化されたデータユニットは、ＨＡＲＱ方式と、同じ符号化されたデータユニットがアップリンクグラントフリーリソースで繰り返し送信される繰り返し方式とを使用して送信されてもよい。したがって、符号化されたデータユニットを検出した後、再アセンブル符号化トランスポートブロック素子５０２は、符号化されたデータユニットから符号化されたトランスポートブロックを再アセンブルし、符号化されたトランスポートブロックを誤り訂正デコーダ５０４に供給する。再アセンブルブロック５０２は、符号化されたデータユニットを繰り返し受信してソフト合成により合成してトランスポートブロックを再アセンブルしてもよく、ソフト合成は、繰り返し受信したソフトビットについての対数尤度比（ＬＬＲ）の追加を含むことができる。誤り訂正デコーダ５０４は、符号化されたトランスポートブロックを復号し、送信機で使用されている誤り訂正符号化方式に従ってデータの推定値を生成する。ＣＲＣデコーダ５０６は、トランスポートブロック内のアップリンクデータが正しく受信されたかどうかを検出するために、従来の構成に従ってＣＲＣを実行し、アップリンクデータを処理ブロック５０８に出力する。
【００４２】
上述したように、符号化されたトランスポートブロック４４０は、繰り返し送信と組み合わされたＨＡＲＱ方式を使用してグラントフリーアップリンクリソースを介して送信されてもよい。したがって、レートマッチング、反復、およびＨＡＲＱブロック４０６は、アップリンクのグラントフリーリソースを介した送信のために、符号化されたトランスポートブロック４４０を符号化されたデータユニット４４２に分割してもよい。アップリンクグラントフリーリソースの容量を一致させるために、符号化されたデータユニットは、例えば、各符号化されたデータユニット４４２がスロット３６０、３６２内の１つ以上のＯＦＤＭシンボルで送信される場合に、ビットをパンクチャすることによってレートマッチングされ得る。さらに、各符号化データユニットは、ＨＡＲＱプロセスに従って送信されてもよく、当該ＨＡＲＱプロセスによって各符号化データユニット４４２にＨＡＲＱ識別子が与えられる。さらに、受信機２８２内のＨＡＲＱコントローラ５１０が送信機と一致するＨＡＲＱプロセスを実行するために、送信機２９６内の各データユニットを生成する時間ではなく、ＨＡＲＱ識別子をスロットまたはサブフレーム番号に一致させることができる。最後に、レートマッチング、反復、およびＨＡＲＱブロック４０６は、アップリンクデータが正しく受信される可能性を改善することによって、通信されるアップリンクデータの完全性を改善するために、符号化されたデータユニットのそれぞれを繰り返し送信してもよい。例えば、３ＧＰＰリリース１６は、ミニスロット構造に基づいて繰り返し送信を実行することが提案されている。図８は、符号化されたデータユニット４４２がスロット３６０、３６２の８個のＯＦＤＭシンボルである各ミニスロットにおいて４回送信され、その結果、スロット３６０、３６３の各々が半分に分割されてミニスロット５５０、５５２、５５４、５５６を形成する例を提供する。
課題と解決策
【００４３】
上記の説明から理解されるように、例えば、ＰＵＳＣＨ（３ＧＰＰリリース１５）におけるアップリンクグラントフリー送信のための以前に提案された構成は符号化されたデータユニットをＫ回繰り返し送信することを含むことができ、各符号化されたデータユニット４４２は、例えば、スロット３６０、３６２であってもよい送信機会で送信される。これらＫ回の繰り返し送信は複数の送信機会（ＴＯ）にわたって行われ、いくつかのＴＯは各符号化されたデータユニットを送信するための送信期間を形成する。ＴＯはインフラ機器２７２内の受信機２８２に符号化データユニットのバージョンを暗黙的に示す。これは冗長バージョンと呼ぶことができ、送信期間は、受信機２８２にＨＡＲＱプロセス識別子を暗黙的に示す。送信が受信機２８２で解釈されるような送信期間の先頭で開始しない場合、ＵＥ２７０の送信機２９６は、Ｋ回繰り返して送信する前に、送信期間の終端に到達し、これによりＨＡＲＱプロセス識別子が変化することがあるので、Ｋ回繰り返して送信することができないことがある。図９に、Ｋ＝４のＰＵＳＣＨの繰り返しが、符号化されたデータユニットのＫ＝４の繰り返しを可能にすべき送信期間６０２の第３のＴＯ６００（スロットｎ−ｌ（３６０）のＯＦＤＭシンボル４および５）で開始するが、送信のタイミングが原因で、送信期間が６０４で終了する前に、２回のみ繰り返し送信が可能である例を示す。本質的に、これはグラントフリーリソースのタイミングならびに符号化されたデータユニットの送信の暗示的なタイミングが、受信機が送信のタイミングを知ることができるように、アップリンクのタイミング構造に関して行われるためであるが、このタイミングは送信用のアップリンクデータの生成のタイミングと一致しないことがある。
【００４４】
通信の所望の信頼性および完全性を提供するために、事前定義されたＫ回の繰り返しが保証されなければならない場合、送信は、送信期間６０２の第１のＴＯ６０６から開始されるべきである。
【００４５】
したがって、符号化されたデータユニットの繰り返し送信の開始機会は、繰り返しの数Ｋに依存する。開始機会の頻度は、符号化されたデータユニット４４２が送信されるレイテンシに影響を及ぼし、したがってトランスポートブロック４４０が送信されるレイテンシに影響を及ぼす。少数の繰り返しに対して、開始機会の頻度が増加し、それによって、より短いレイテンシを提供するが、低減された繰り返し数により通信信頼性が低減される。繰り返し回数が多い場合には通信の信頼性は向上するが、符号化されたデータユニットを送信するための開始機会の頻度は減少し、それによって、送信のレイテンシが増加する。
【００４６】
先に説明したように、送信期間の途中で開始するＵＲＬＬＣのＰＵＳＣＨは、送信期間の目標とされるＫ回の繰り返しを完了するのに十分な送信機会を有しないことがある。１つの提案は、このＧＦリソースの各々において、送信期間が異なる時間で開始する、すなわち時間的にずれている、複数のグラントフリー構成を有することである（非特許文献４）。例えば、図１０では、グラントフリーリソースの２つの構成６２０、６２２が示されており、構成１（６２０）では送信期間がスロットｎ−１（６２４）で開始し、一方、構成２（６２２）では送信期間がＯＦＤＭシンボル＃４（６２６）で開始し、時間的にずれている。したがって、Ｋ＝４を有するＵＲＬＬＣのＰＵＳＣＨが構成１の送信期間の途中、例えば、ＯＦＤＭシンボル＃４（６２６）に到達した場合、構成１（６２０）を使用して２回の繰り返し送信を行う代わりに、構成２（６２２）を使用して４つのＴＯ６００により４回の繰り返し送信を行うことができる。
【００４７】
本技術の実施形態は、グラントフリーリソースにアクセスする際の改善を提供することができる。特に、本技術の実施形態は、以下を提供することができる。
・異なる優先度および/または異なるURLLC要件を有する複数のデータをサポートするためのグラントフリー送信の複数の構成
・複数の構成が設定されている場合に、異なる優先度および/または異なるURLLC要件を有する複数のデータ間で衝突が起こったときのUE挙動
・異なる構成間の周波数領域における重複グラントフリーリソースの場合のUE挙動
複数の構成
【００４８】
本技術の実施形態は、アップリンクのグラントフリーリソース上で送信用のアップリンクデータを処理して当該アップリンクデータの１つ以上のトランスポートブロックを形成することによって、ＵＥ２９６がデータを無線通信ネットワークに送信するように構成され、上記グラントフリーリソースがタイムスロット３６０、３６２、またはミニスロット５５０、５５２、５５４、５５６等、アップリンクデータを送信するための無線アクセスインタフェースの複数の時間分割単位の各々において通信リソースを提供する構成を提供することができる。上記方法は、上記グラントフリーリソースにおける上記アップリンクデータを送信するための複数の構成のうちの1つを選択し、上記選択された構成に従って上記グラントフリーリソースにおける上記1つ以上のトランスポートブロックを送信することを含む。上記複数の構成の各々は、上記無線アクセスインタフェースの上記時分割単位で上記1つ以上のトランスポートブロックを送信するための送信期間と、上記送信期間の時間開始位置とを含み、上記送信期間および上記送信期間の上記開始位置は、上記複数の構成の各々について独立に設定され、したがって、上記複数の構成の各々について異なっていてもよい。
【００４９】
上記の図６および図７に示す例示的な送信機２９６および受信機２８２から理解されるように、いくつかの例示的な実施形態においては、上記送信用のアップリンクデータを処理することは、送信用の上記アップリンクトランスポートブロックに上記アップリンクデータを形成し、上記アップリンクトランスポートブロックの各々を符号化トランスポートブロックに符号化し、上記符号化トランスポートブロックの各々から複数の符号化データユニットを形成することを含み、上記符号化データユニットの各々は、上記アップリンクグラントフリーリソースの通信リソースにおける上記送信期間の各々を形成する複数の送信機会の各々において繰り返し送信のために形成される。したがって、上記複数の構成の各々は、構成ごとに異なる上記符号化データユニットを送信するための多数の繰り返しを含み、構成ごとに異なる送信期間を提供する。
【００５０】
したがって、例示的な実施形態は、異なるサービス品質要件、したがって異なる優先度および／または異なるＵＲＬＬＣ要件を有する異なるソースからアップリンクデータを送信するためにグラントフリーリソースを使用するための、ＵＥ上の送信機およびインフラ機器内の受信機の複数の構成を提供することができる。異なる優先度および／または異なるＵＲＬLＣ要件を有する１つ以上のデータをサポートするためには、グラントフリー送信の複数の構成で異なるパラメータを使用することができる。例えば、以下のパラメータは、グラントフリー送信のための各構成に対して個別に設定される。
・符号化データユニットの繰り返し回数
【００５１】
符号化データユニット４４０の繰り返し回数は、図１１に示すように、グラントフリー送信のための異なる構成間で異なっていてもよい。図１１に示すように、構成１と構成２について２つの構成６４０、６４２が示されており、これらの構成は、スロット３６２で異なる開始時間６４４、６４６を有している。
【００５２】
図１１に示す例では、構成１（６４０）を比較的高い信頼性を有するデータに使用することができ、構成２（６４２）を比較的短いレイテンシを有するデータに使用することができる。
・変調符号化方式（MCS）
【００５３】
ＭＣＳは、グラントフリー送信のための構成間で異なっていてもよい
【００５４】
例えば、低ＭＣＳの構成は比較的信頼性の高いデータに用いることができ、高ＭＣＳの構成は、比較的高いビットレート（大容量）のデータに用いることができる。低ＭＣＳは、例えば、少ない数のコンスタレーションポイントを有する変調方式とすることができ、一方、誤り訂正符号化は、比較的高い量の冗長性を提供する低レートとすることができる。
・GFリソースの帯域幅
【００５５】
グラントフリーリソースの帯域幅は、グラントフリー送信の異なる構成で異なっていてもよい。
【００５６】
例えば、ビットレートが比較的高い（容量が大きい）データに対しては帯域幅が広い構成を用いることができ、ビットレートが比較的低い（容量が小さい）データに対しては帯域幅が狭い構成を用いることができる。
【００５７】
例えば、インフラ機器とＵＥとの間の距離（パスロス）に応じて、帯域幅の大きい構成や帯域幅の狭い構成を決定することができる。距離が長い場合、ＵＥは、高いアップリンク電力でデータを送信する。しかしながら、最大アップリンク電力は、規制によって定義される。いくつかの例では、ＵＥが指定された限界（電力制限）を超えて送信電力を増加させることを許可されないことがある。ＵＥがその電力限界に達した場合、ＵＥは、狭い帯域幅を有する構成を使用することができる。例えば、広い帯域幅または狭い帯域幅を有する構成は、伝搬チャネル状態に基づいて決定されてもよい。伝搬チャネル状態が悪い場合には、アップリンクデータのチャネル符号化率を下げるために、帯域幅の広い構成を用いることができる。狭い帯域幅を有する構成は、伝搬チャネル状態がより良好である場合に、アップリンクデータのためのチャネル符号化レートを増加させるために使用され得る。
・ＰＵＳＣＨのＤＭＲＳ構成
【００５８】
各構成は異なる復調参照シーケンス密度およびパターンを有することができる。ＤＭＲＳシンボルの位置は、異なる構成に対して異なっていてもよい。
【００５９】
これにより、異なる構成からのグラントフリーリソースが周波数において（部分的にまたは完全に）オーバラップし、ＰＵＳＣＨのＤＭＲＳ構成によって区別されることが可能になる。
・インフラ機器（ｇＮＢ）での受信に関連する送信パラメータ
【００６０】
ｇＮＢに関連する送信パラメータは、ビームパターン、送信電力、および／またはタイミングアドバンスとすることができる。
【００６１】
例えば、送信パラメータＡおよびＢは、それぞれ、ｇＮＢ（ＡおよびＢ）への送信に適している。
【００６２】
ｇＮＢに関連する送信パラメータは、グラントフリー送信の構成間で異なっていてもよい。
【００６３】
例えば、送信パラメータＡの構成はデータがｇＮＢ（Ａ）に送信される場合（送信パラメータＡがｇＮＢ（Ａ）に関連付けられている場合）に使用でき、送信パラメータＢの構成はデータがｇＮＢ（B）に送信される場合（送信パラメータＢがｇＮＢ（B）に関連付けられている場合）に使用できる。
異なる優先度および／または異なるＵＲＬＬＣ要件に対して異なる構成を使用する異なるソースからのデータの優先順位付け
【００６４】
上記の説明から理解されるように、グラントフリーリソースで送信するための複数の構成では、異なるサービスが同じＵＥからグラントフリーリソースへのアクセスを必要とする可能性がある。したがって、例示的な実施形態によれば、異なるソースから異なるサービスのために送信されるデータは、それぞれ、異なる構成を有することができ、各サービス／ソースからのデータは、ＵＥからグラントフリーリソースにアクセスするための異なる相対的な送信優先度を有することができる。したがって、ＵＥは異なるソースからデータを送信することができるが、異なる構成に従って送信されることがあるデータの送信を優先することができる。例えば、ＵＥがグラントフリーリソースを使用するための２つの構成で構成され、各構成が符号化されたデータユニットの繰り返し送信のための異なる開始位置（ＯＦＤＭシンボル）を有する場合、各サービスタイプ／ソースの相対的な優先度に従って、一方を他方に対して優先させることができる。優先度の低い異なるアップリンクデータの送信中に、優先度の高いアップリンクデータを送信する必要がある場合は、優先度の高いアップリンクデータを優先してもよい。すなわち、複数のグラントフリーリソースの設定が異なる優先度に関連付けられ、それに応じて、優先度の高いグラントフリーリソースが同じＵＥ内の優先度の低いグラントフリーリソースをプリエンプトできるようにグラントフリーリソースでの送信に優先度が与えられる。以下に、異なる優先度を有する異なる構成に対して、グラントフリーリソースへのアクセスに優先順位を付ける例を示す。
・優先度の低いアップリンクデータの停止
【００６５】
複数のアップリンクデータ送信がグラントフリーリソースにおける異なるソースからのアップリンクデータ送信との衝突を引き起こす場合、優先度の低いアップリンクデータの代わりに、優先度の高いアップリンクデータが送信される。言い換えれば、優先度の低いアップリンクデータは停止され、優先度の高いアップリンクデータがグラントフリーリソース上で送信される。
【００６６】
例えば、図１２に示すように、第１のソースからのアップリンクデータは第１の構成１（６６０）で構成されているのに対し、異なるソースからのアップリンクデータは異なる構成２（６６２）で送信されるように構成される。この例では、第２の構成２（６６２）が第１の構成１（６６０）よりも高い優先度を有するデータを搬送する。図１２に示すように、第３および第４の繰り返し６６４、６６６（すなわち、スロットｎにおけるシンボル１２および１３、ならびにスロットｎ＋１におけるシンボル０および１）に対する符号化されたデータユニットは送信されない。代わりに、構成２（６６２）を有する第２のソースからのアップリンクデータは、より高い優先度を有するので、位置６６８で始まる。
【００６７】
ＵＥがより低い優先度を有するアップリンクデータの送信を停止すべきであると判断した場合、ＵＥは、優先順位付けされた送信をインフラ機器（ｇＮＢ）に通知することができる。この通知は、構成１（６６０）のグラントフリーリソース上で実行することができる。さらに、ＵＥは、どのグラントフリーリソースが使用されるかを示すことができる。
・優先度の低いアップリンクデータの延期
【００６８】
図１２に示す例では、第１の構成１（６６０）による第１のソースからのアップリンクグラントフリーリソースで送信されるアップリンクデータの衝突が、より高い優先度を有する構成２（６６２）を使用する第２のソースからのアップリンクデータの送信と競合する。上記の例では、構成１（６６０）を使用するより低い優先度の送信が停止される。しかしながら、異なる例によれば、第１の構成１（６６０）を有する第１のソースからのアップリンクデータの送信は、構成２（６６２）によるより高い優先度を有するアップリンクデータの送信がポイント６７０で終了するまで延期されることができる。言い換えれば、優先度の高いアップリンクデータの送信が終了した後、優先度の低いアップリンクデータの送信が再開される。
【００６９】
例えば、図１３に示すように、第１の構成１（６６０）のアップリンクデータ送信の繰り返し３および４（スロットｎのシンボル１２および１３、スロットｎ＋１のシンボル０および１）では、優先度の低いアップリンクデータはグラントフリーリソースで送信されず、優先度の高いアップリンクデータはポイント６６８から送信された第２の構成２（６６２）のグラントフリーリソースで送信される。しかしながら、停止された送信は、より優先度の高い構成２（６６２）を使用する第２のソースからの送信が終了したときに、ポイント６７０の後に、第１の構成６６０を使用して第１のソースからの繰り返し３および４（すなわち、スロットｎ＋１におけるシンボル６から９）で再開される。
【００７０】
ＵＥ２７０は、第１の構成１（６６０）を有する第１のソースからの送信がポイント６６８で停止されたと判定した場合、より高い優先度を有する構成２（６６２）を有する第２のソースからのアップリンクデータの優先順位付けされた送信をインフラ機器２７２（ｇＮＢ）に通知することができる。ＵＥ２７０は、構成１のグラントフリーリソースに関する通知を送信することによって、インフラ機器２７２に通知することができる。さらに、ＵＥは、どのグラントフリーリソースが使用されるべきかを示すことができる。さらに、ＵＥ２７０は、停止された送信が第１の構成１（６６０）のグラントフリーリソースで再開されるか、または新しい送信が第２の構成２（６６２）に従ってグラントフリーリソースで実行されるかをインフラ機器に通知することができる。
・より低い優先度のアップリンクデータを用いたより高い優先度のアップリンクデータの多重化
【００７１】
第１の構成１（６６０）に従ってソースからアップリンクグラントフリーリソースで送信されたアップリンクデータの衝突が、より高い優先度を有する構成２（６６２）を使用して異なるソースからのアップリンクデータの送信と衝突する上記の例に代わるものとして、異なるソースからのアップリンクデータを同じグラントフリーリソースで多重化することができる。
【００７２】
例えば、図１４に示すように、符号化されたデータユニットを繰り返し３および４（６８４、６８６）（すなわち、スロットｎにおけるシンボル１２および１３、ならびにスロットｎ＋１におけるシンボル０および１）として送信する際に、より高い優先度を有する第２の構成２（６６２）に従って送信するように構成されたアップリンクデータよりも低い優先度を有する第１の構成１（６６０）に従って送信するように構成されたアップリンクデータは、多重化されて、第１の構成１（６６０）のグラントフリーリソースを用いて送信される。すなわち、構成１（６６０）で構成された第１のソースのアップリンクデータの残りの繰り返し３および４は、例えば、周波数で多重化することによって、第２の構成２（６６２）で、より優先度の高いデータを有する送信と多重化される。
【００７３】
ＵＥ２７０が多重化を使用してより低い優先度のアップリンクデータを送信すると判断した場合、ＵＥ２７０は、インフラ機器２７２（ｇＮＢ）に当該多重化を通知することができる。この通知は、より低い優先度を有する（それをチェックする）第１の構成１（６６０）に従って、グラントフリーリソース上で送信されてもよい。
【００７４】
異なる構成間の周波数領域における重複グラントフリーリソースの場合のＵＥ挙動
【００７５】
上記の実施形態では、アップリンクデータがグラントフリーリソース上で異なる構成を使用して、異なるソースから送信される。多重化は、一例では、異なる周波数リソース上にデータをマッピングすることによって、異なる構成を有する異なるソースからのデータをマッピングすることによって実行されてもよい。しかしながら、他の例では、図１５に示す例示的な実施形態に示されるように、データは同じ周波数リソース上でオーバーラップすることができる。図１５に示すように、アップリンクデータは、例えば、アップリンクデータ生成のタイミングに応じて、第１の構成１（６６０）（繰り返し番号１から４が下線で示される）に従ってグラントフリーリソースで送信されるか、または第２の構成２（６６２）（繰り返し番号１から４がイタリックフォントで示される）に従って送信される。
【００７６】
さらに、ＵＥは、構成されたグラントフリーリソースが使用されているｇＮＢを明示的または暗黙的に通知することができる。
【００７７】
上記通知は、どの構成がアップリンクデータに使用されるかを示す制御情報を多重化することによって明示的に実行されてもよい。
【００７８】
上記通知は、アップリンクデータ（例えば、ＰＵＳＣＨ）の以下のパラメータを構成間で区別することによって暗黙的に実行できる。
・アップリンクデータのスクランブルシーケンス
・アップリンクデータ用のDMRS、DMRSシーケンス、DMRSマッピングパターン
・アップリンクデータのアンテナポート
【００７９】
当業者は、本明細書で定義されるようなインフラ機器および／または通信デバイスがこれまでの段落で説明された様々な構成および実施形態に従ってさらに定義され得ることをさらに理解するであろう。本明細書で定義され、説明されるようなインフラ機器および通信デバイスは本発明によって定義されるもの以外の通信システムの一部を形成し得ることが、当業者によってさらに理解されるであろう。
【００８０】
以下の番号付けされた段落は、本技術のさらなる例示的な態様および特徴を提供する。
【００８１】
段落１
無線通信ネットワークにデータを送信する通信デバイスを動作させる通信デバイス動作方法であって、
上記無線通信ネットワークによって提供される無線アクセスインタフェースの物理アップリンク共有チャネルのグラントフリーリソース上で送信用のアップリンクデータを処理して、上記送信用のアップリンクデータの１つ以上のトランスポートブロックを形成し、上記グラントフリーリソースは、上記アップリンクデータを送信するための上記無線アクセスインタフェースの複数の時間分割単位の各々において通信リソースを提供し、
上記グラントフリーリソースにおける上記アップリンクデータを送信するための複数の構成のうちの１つを選択し、
上記選択された構成に従って上記グラントフリーリソースにおける上記アップリンクデータを送信し、
上記複数の構成の各々は、グラントフリーリソースと、符号化されたデータユニットの各々が上記グラントフリーリソースにおいて送信される送信期間と、上記グラントフリーリソースにおいて上記アップリンクデータを送信するための上記無線アクセスインタフェースの上記複数の時間分割単位のうちの１つにおける上記送信期間の時間開始位置とを含み、上記時間開始位置および上記送信期間は、上記複数の構成の各々について独立である
通信デバイス動作方法。
段落２
段落１に記載の通信デバイス動作方法であって、
上記送信用のアップリンクデータを処理することは、
送信用のアップリンクトランスポートブロックに上記アップリンクデータを形成し、
上記アップリンクトランスポートブロックの各々を符号化トランスポートブロックに符号化し、
上記符号化トランスポートブロックの各々から複数の符号化データユニットを形成すること
を含み、
上記符号化データユニットの各々は、上記グラントフリーリソースの通信リソースにおける上記送信期間の各々を形成する複数の送信機会の各々において繰り返し送信のために形成され、
各構成は、上記物理アップリンク共有チャネルの上記グラントフリーリソースにおける上記符号化データユニットを送信する独立の繰り返し回数を有し、各構成について独立の上記送信期間を提供する
通信デバイス動作方法。
段落３
段落１または２に記載の通信デバイス動作方法であって、
上記複数の構成の各々は、変調方式、誤り訂正符号化率、上記グラントフリーリソースの送信帯域幅、復調参照信号のパターン、送信用ビームパターン、送信電力、およびタイミングアドバンスの少なくとも１つを含む独立の通信パラメータを含み、上記トランスポートブロックの各々の符号化、上記アップリンクデータの形成、および上記アップリンクデータの送信のうちの少なくとも１つは、上記独立して設定された通信パラメータに従う
通信デバイス動作方法。
段落４
段落１から３のいずれか１つに記載の通信デバイス動作方法であって、さらに、
上記グラントフリーリソース上の第１の送信用のアップリンクデータを上記複数の構成のうちの第１の構成に従って処理し、
上記グラントフリーリソース上の第２の送信用のアップリンクデータを上記複数の構成のうちの第２の構成に従って処理し、
上記グラントフリーリソースにおける上記第１のアップリンクデータを上記選択された第１の構成に従って送信し、
上記第２のアップリンクデータが上記第１のアップリンクデータよりも高い相対的な送信優先度を有すると判定し、
上記第１のアップリンクデータと上記第２のアップリンクデータとの間の相対的な優先度に従って、上記第１のアップリンクデータの送信に優先して、上記第２の構成による上記第２のアップリンクデータの送信をスケジューリングする
通信デバイス動作方法。
段落５
段落４に記載の通信デバイス動作方法であって、さらに、
上記第２の構成に従って上記第２のアップリンクデータを送信することを含み、
上記第２のアップリンクデータを送信することは、
上記第１のアップリンクデータの１つ以上の上記トランスポートブロックを送信することが、上記第２のアップリンクデータの１つ以上の上記トランスポートブロックを送信することと同時に上記グラントフリーアップリンクの通信リソースのうちの同じ通信リソースを必要とすると判断し、
上記第１のアップリンクデータの上記１つ以上のトランスポートブロックの代わりに、上記第１のアップリンクデータの上記１つ以上のトランスポートブロックが送信された通信リソースと同じ通信リソース上で、上記第１のアップリンクデータよりも高い優先度を有する上記第２のアップリンクデータの上記１つ以上のトランスポートブロックを上記第２の構成により送信する
ことを含む
通信デバイス動作方法。
段落６
段落５に記載の通信デバイス動作方法であって、
上記第１のアップリンクデータの上記１つ以上のトランスポートブロックを送信することは、上記第１のアップリンクデータの上記１つ以上のトランスポートブロックの送信を、より高い優先度を有する上記第２のアップリンクデータの送信と競合しないように適合させることによって、上記第２のアップリンクデータの上記１つ以上のトランスポートブロックと競合する同じ通信リソース上で送信されたであろう上記第２のアップリンクデータよりも低い優先度を有する上記第１のアップリンクデータの上記１つ以上のトランスポートブロックを送信することを含む
通信デバイス動作方法。
段落７
段落６に記載の通信デバイス動作方法であって、
上記送信することを適合させることは、上記第２のアップリンクデータの上記１つ以上のトランスポートブロックと競合する同じ通信リソース上で送信されたであろう上記第２のアップリンクデータよりも低い優先度を有する上記第１のアップリンクデータの上記１つ以上のトランスポートブロックの送信を停止することを含む
通信デバイス動作方法。
段落８
段落６に記載の通信デバイス動作方法であって、
上記送信することを適応させることは、上記グラントフリーアップリンクの通信リソース上の上記第２のアップリンクデータの送信が完了するまで、上記第２のアップリンクデータの上記１つ以上のトランスポートブロックと競合する同じ通信リソース上で送信されたであろう上記第２のアップリンクデータよりも低い優先度を有する上記第１のアップリンクデータの上記１つ以上のトランスポートブロックの送信を延期することを含む
通信デバイス動作方法。
段落９
段落６に記載の通信デバイス動作方法であって、
前記送信することを適合させることは、上記第２のアップリンクデータの上記１つ以上のトランスポートブロックと競合する同じ通信リソース上で送信されたであろう上記第２のアップリンクデータよりも低い優先度を有する上記第１のアップリンクデータの上記１つ以上のトランスポートブロックの送信を多重化することを含む
通信デバイス動作方法。
段落１０
段落４から９のいずれか１つに記載の通信デバイス動作方法であって、
上記第１の構成および上記第２の構成の上記グラントフリーリソースは、周波数領域においてオーバーラップされる
通信デバイス動作方法。
段落１１
段落４から９のいずれか１つに記載の通信デバイス動作方法であって、
上記第１のアップリンクデータを送信することを適応させることの上記第１のアップリンクデータの受信機に通知を送信することを含む
通信デバイス動作方法。
段落１２
段落４から９のいずれか１つに記載の通信デバイス動作方法であって、
無線通信ネットワークにデータを送信するように構成された通信デバイスであって、
上記無線通信ネットワークによって提供される無線アクセスインタフェースを介して信号を送信するように構成された送信回路と、
上記送信回路と組み合わせて、
上記無線通信ネットワークによって提供される無線アクセスインタフェースの物理アップリンク共有チャネルのグラントフリーリソース上で送信用のアップリンクデータを処理して、上記送信用のアップリンクデータの１つ以上のトランスポートブロックを形成し、上記グラントフリーリソースは、上記アップリンクデータを送信するための上記無線アクセスインタフェースの複数の時間分割単位の各々において通信リソースを提供し、
上記グラントフリーリソースにおける上記アップリンクデータを送信するための複数の構成のうちの１つを選択し、
上記選択された構成に従って上記グラントフリーリソースにおける上記アップリンクデータを送信するように構成された制御回路と
を含み、
上記複数の構成の各々は、グラントフリーリソースと、符号化されたデータユニットの各々が上記グラントフリーリソースにおいて送信される送信期間と、上記グラントフリーリソースにおいて上記アップリンクデータを送信するための上記無線アクセスインタフェースの上記複数の時間分割単位のうちの１つにおける上記送信期間の時間開始位置とを含み、上記時間開始位置および上記送信期間は、上記複数の構成の各々について独立である
通信デバイス。
段落１３
段落１２に記載の通信デバイスであって、
上記制御回路は、上記送信回路により、
上記アップリンクデータを上記送信用のアップリンクトランスポートブロックに形成し、
上記アップリンクトランスポートブロックの各々を符号化トランスポートブロックに符号化し、
上記符号化トランスポートブロックの各々から複数の符号化データユニットを形成する
ように構成され、
上記符号化データユニットの各々は、上記グラントフリーリソースの通信リソースにおける上記送信期間の各々を形成する複数の送信機会の各々において繰り返し送信のために形成され、各構成は、上記物理アップリンク共有チャネルの上記グラントフリーリソースにおける上記符号化データユニットを送信する独立の繰り返し回数を有し、各構成について独立の上記送信期間を提供する
通信デバイス。
段落１４
段落１２または１３に記載の通信デバイスであって、
上記複数の構成の各々は、変調方式、誤り訂正符号化率、上記グラントフリーリソースの送信帯域幅、復調参照信号のパターン、送信用ビームパターン、送信電力、およびタイミングアドバンスの少なくとも1つを含む独立の通信パラメータを含み、上記トランスポートブロックの各々の符号化、上記アップリンクデータの形成、および上記アップリンクデータの送信のうちの少なくとも１つは、上記独立して設定された通信パラメータに従う
通信デバイス。
段落１５
段落１２から１４のいずれか１つに記載の通信デバイスであって、
上記制御回路は、上記送信回路により、
上記グラントフリーリソース上の第１の送信用のアップリンクデータを上記複数の構成のうちの第１の構成に従って処理し、
上記グラントフリーリソース上の第２の送信用のアップリンクデータを上記複数の構成のうちの第２の構成に従って処理し、
上記グラントフリーリソースにおける上記第１のアップリンクデータを上記選択された第１の構成に従って送信し、
上記第２のアップリンクデータが上記第１のアップリンクデータよりも高い相対的な送信優先度を有すると判定し、
上記第１のアップリンクデータと上記第２のアップリンクデータとの間の相対的な優先度に従って、上記第１のアップリンクデータの送信に優先して、上記第２の構成による上記第２のアップリンクデータの送信をスケジューリングする
ように構成される
通信デバイス。
段落１６
段落１５に記載の通信デバイスであって、
上記制御回路は、上記送信回路により、
上記第１のアップリンクデータの１つ以上の上記トランスポートブロックを送信することが、上記第２のアップリンクデータの１つ以上の上記トランスポートブロックを送信することと同時に上記グラントフリーアップリンクの通信リソースのうちの同じ通信リソースを必要とすると判断し、
上記第１のアップリンクデータの上記１つ以上のトランスポートブロックの代わりに、上記第１のアップリンクデータの上記１つ以上のトランスポートブロックが送信された通信リソースと同じ通信リソース上で、上記第１のアップリンクデータよりも高い優先度を有する上記第２のアップリンクデータの上記１つ以上のトランスポートブロックを上記第２の構成により送信する
ように構成される
通信デバイス。
段落１７
段落１６に記載の通信デバイスであって、
上記制御回路は、上記送信回路により、
上記第１のアップリンクデータの上記１つ以上のトランスポートブロックの送信を、より高い優先度を有する上記第２のアップリンクデータの送信と競合しないように適合させることによって、上記第２のアップリンクデータの上記１つ以上のトランスポートブロックと競合する同じ通信リソース上で送信されたであろう上記第２のアップリンクデータよりも低い優先度を有する上記第１のアップリンクデータの上記１つ以上のトランスポートブロックを送信する
するように構成される
通信デバイス。
段落１８
無線通信ネットワークにデータを送信するように構成された回路であって、
上記無線通信ネットワークによって提供される無線アクセスインタフェースを介して信号を送信するように構成された送信回路と、
上記送信回路と組み合わせて、
上記無線通信ネットワークによって提供される無線アクセスインタフェースの物理アップリンク共有チャネルのグラントフリーリソース上で送信用のアップリンクデータを処理して、上記送信用のアップリンクデータの１つ以上のトランスポートブロックを形成し、上記グラントフリーリソースは、上記アップリンクデータを送信するための上記無線アクセスインタフェースの複数の時間分割単位の各々において通信リソースを提供し、
上記グラントフリーリソースにおける上記アップリンクデータを送信するための複数の構成のうちの１つを選択し、
上記選択された構成に従って上記グラントフリーリソースにおける上記アップリンクデータを送信するように構成された制御回路と
を含み、
上記複数の構成の各々は、グラントフリーリソースと、符号化されたデータユニットの各々が上記グラントフリーリソースにおいて送信される送信期間と、上記グラントフリーリソースにおいて上記アップリンクデータを送信するための上記無線アクセスインタフェースの上記複数の時間分割単位のうちの１つにおける上記送信期間の時間開始位置とを含み、上記時間開始位置および上記送信期間は、上記複数の構成の各々について独立である
回路。
【００８２】
本開示の実施形態が、少なくとも部分的に、ソフトウェア制御されたデータ処理装置によって実装されるものとして説明されている限り、光ディスク、磁気ディスク、半導体メモリ等、そのようなソフトウェアを有する非一時的な機械可読媒体も、本開示の実施形態を表すと考えられることが理解されよう。
【００８３】
明確にするための上記の説明は、異なる機能ユニット、回路、および／またはプロセッサを参照して実施形態を説明したことが理解されよう。しかしながら、実施形態から逸脱することなく、異なる機能ユニット、回路、および／またはプロセッサ間の機能を任意に適切に分散してもよいことは明らかであろう。
【００８４】
記載された実施形態は、ハードウェア、ソフトウェア、ファームウェア、またはこれらの任意の組み合わせを含む任意の適切な形態で実装されてもよい。記載された実施形態は、任意選択で、１つ以上のデータプロセッサおよび／またはデジタル信号プロセッサ上で実行されるコンピュータソフトウェアとして少なくとも部分的に実装されてもよい。任意の実施形態の要素および構成要素は任意の適切な方法で物理的に、機能的に、および論理的に実装されてもよい。実際、上記機能は、単一のユニットで、複数のユニットで、または他の機能ユニットの一部として実装されてもよい。したがって、開示された実施形態は、単一のユニットで実装されてもよく、または異なるユニット、回路、および／またはプロセッサ間で物理的および機能的に分散されてもよい。
【００８５】
いくつかの実施形態に関連して本開示を説明したが、本明細書に記載した特定の形態に限定することは意図していない。さらに、特徴は特定の実施形態に関連して説明されているように見えるが、当業者は記載された実施形態の種々の特徴が本技術を実施するのに適した任意の方法で組み合わされ得ることを認識するであろう。
付属書１
ＬＴＥ無線アクセスインタフェース
【００８６】
本技術の実施形態は、特定の無線通信規格に限定されず、一般的に、送信機および受信機がＡＲＱタイプのプロトコルの一部としてフィードバックの何らかの指示が提供される単位、トランスポートブロック、またはパケットでデータを通信するように構成される移動通信システムに適用される。しかしながら、以下の例示的な実施形態は、３ＧＰＰ定義のＬＴＥアーキテクチャを参照して説明される。ＬＴＥに精通する者は、ＬＴＥ規格に従って構成された無線アクセスインタフェースが無線ダウンリンクのための直交周波数分割変調（ＯＦＤＭ）ベースの無線アクセスインタフェース（いわゆるＯＦＤＭＡ）と、無線アップリンク上の単一キャリア周波数分割多元接続方式（ＳＣ‐ＦＤＭＡ）を使用することを理解するであろう。ＬＴＥ規格による無線アクセスインタフェースのダウンリンクおよびアップリンクは、図１６および図１７に示されている。
【００８７】
図１６は、通信システムがＬＴＥ規格に従って動作しているときに、図１のｅＮＢによって、またはそれに関連して提供され得る無線アクセスインタフェースのダウンリンクの構造の簡略化された概略図を提供する。ＬＴＥシステムでは、ｅＮＢからＵＥへのダウンリンクの無線アクセスインタフェースが直交周波数分割多重（ＯＦＤＭ）アクセス無線インタフェースに基づく。ＯＦＤＭインタフェースでは、利用可能な帯域幅のリソースが複数の直交サブキャリアに周波数分割され、データは複数の直交サブキャリア上で並列に送信される。１．４ＭＨＺと２０ＭＨｚの帯域幅の間の帯域幅は直交サブキャリアに分割されてもよい。これらのサブキャリアの全てがデータを送信するために使用されるわけではないが（いくつかは、例えば、受信機におけるチャネル推定のために使用される参照情報を搬送するために使用される）、帯域のエッジにおけるいくつかは全く使用されない。ＬＴＥの場合、サブキャリアの数は７２個のサブキャリア（１．４ＭＨｚ）と１２００個のサブキャリア（２０ＭＨｚ）との間で変化するが、ＮＲまたは５Ｇ等の他の無線アクセスインタフェースの場合、サブキャリアの数および帯域幅が異なっていてもよいことが理解されよう。いくつかの例では、サブキャリアが送信機および受信機の両方が逆方向および順方向高速フーリエ変換を使用して、サブキャリアを、それぞれ、周波数領域から時間領域へ、および時間領域から周波数領域へ変換することができるように、２ｎ、たとえば、１２８から２０４８に基づいてグループ化される。各サブキャリア帯域幅は任意の値をとることができるが、ＬＴＥではｌ５ｋＨｚに固定される。
【００８８】
図１６に示すように、無線アクセスインタフェースのリソースはまた、フレーム２００が１０ｍｓ持続するフレームに時分割され、それぞれが１ｍｓの持続時間を有する１０個のサブフレーム１２０１にサブ分割される。各サブフレーム２０１は１４個のＯＦＤＭシンボルから形成され、２つのスロット１２２０、１２２２に分割され、各スロットはシンボル間干渉の低減のためにＯＦＤＭシンボル内で通常のサイクリックプレフィックスが利用されているか、拡張サイクリックプレフィックスが利用されているかに応じて、６個または７個のＯＦＤＭシンボルから構成される。スロット内のリソースは１つのスロットの持続時間の間、それぞれが１２個のサブキャリアを含むリソースブロック１２０３に分割されてもよく、リソースブロックは１つのＯＦＤＭシンボルのための１つのサブキャリアに跨るリソース要素１２０４にさらに分割され、各矩形１２０４はリソース要素を表す。ホストシステム帯域幅にわたってサブフレームおよび周波数内で時間的に分散されたリソース要素は、ホストシステムの通信リソースを表す。
【００８９】
図１４に示すＬＴＥ無線アクセスインタフェースのダウンリンクの簡略化された構造は、制御データの送信のための制御領域１２０５と、ユーザデータの送信のためのデータ領域１２０６と、所定のパターンに従って制御領域およびデータ領域に散在する参照信号２０７とを含む各サブフレーム１２０１の図も含む。
【００９０】
制御領域１２０５は、物理ダウンリンク制御チャネル（ＰＤＣＣＨ）、物理制御フォーマットインジケータチャネル（ＰＣＦＩＣＨ）、および物理ＨＡＲＱインジケータチャネル（ＰＨＩＣＨ）等、制御データの送信のための多数の物理チャネルを含んでもよい。データ領域は、物理ダウンリンク共有チャネル（ＰＤＳＣＨ）、拡張物理ダウンリンク制御チャネル（ｅＰＤＣＣＨ）、および物理ブロードキャストチャネル（ＰＢＣＨ）等、データの送信または制御のための多数の物理チャネルを含んでもよい。これらの物理チャネルはＦＴＥシステムに広範囲の機能を提供するが、リソース割り当ておよび本開示の観点から、ＰＤＣＣＨおよびＰＤＳＣＨが最も適切である。ＦＴＥシステムの物理チャネルの構造および機能に関するさらなる情報は非特許文献１において見出すことができる。
【００９１】
ＰＤＳＣＨ内のリソースは、ｅＮｏｄｅＢによって、ｅＮｏｄｅＢによって提供されているＵＥに割り当てられてもよい。例えば、ＰＤＳＣＨの多数のリソースブロックは、それが以前に要求したデータ、または無線リソース制御（ＲＲＣ）信号のようなｅＮｏｄｅＢによってそれに要求されているデータを受信するために、ＵＥに割り当てられてもよい。図１４では、ＵＥ１にはデータ領域１２０６のリソース１２０８、ＵＥ２リソース１２０９、およびＵＥ３リソース１２１０が割り当てられている。ＦＴＥシステム内のＵＥは、ＰＤＳＣＨのための利用可能なリソースの一部を割り当てられてもよい。したがって、ＰＤＳＣＨ内の関連するデータのみが検出され、推定されるように、ＵＥは、ＰＤＣＳＨ内のそれらの割り当てられたリソースの位置を通知される必要がある。それらの割り当てられた通信リソース要素の位置をＵＥに通知するために、ダウンリンクリソース割り当てを指定するリソース制御情報はダウンリンク制御情報（ＤＣＩ）と呼ばれる形式でＰＤＣＣＨ全体に伝えられ、ＰＤＳＣＨに対するリソース割り当ては同じサブフレーム内の先行するＰＤＣＣＨインスタンス内で伝えられる。
【００９２】
図１７は図１のｅＮｏｄｅＢによって、またはそれに関連して提供され得るＬＴＥ無線アクセスインタフェースのアップリンクの構造の簡略化された概略図を提供する。ＬＴＥネットワークでは、アップリンク無線アクセスインタフェースがシングルキャリア周波数分割多重化ＦＤＭ（ＳＣ−ＦＤＭ）インタフェースに基づいており、ダウンリンクおよびアップリンク無線アクセスインタフェースは周波数分割二重化（ＦＤＤ）または時分割二重化（ＴＤＤ）によって提供されてもよく、ＴＤＤ実装ではサブフレームが事前定義されたパターンに従ってアップリンクサブフレームとダウンリンクサブフレームとの間で切り替わる。しかしながら、使用する二重化の形式にかかわらず、共通のアップリンクフレーム構造が利用される。図３の簡略化された構造は、ＦＤＤ実装におけるそのようなアップリンクフレームを示す。フレーム３００は１ｍｓの持続時間の１０個のサブフレーム３０１に分割され、各サブフレーム３０１は０．５ｍｓの持続時間の２つのスロット３０２を含む。各スロット３０２は、７つのＯＦＤＭシンボル３０３から形成され、ダウンリンクサブフレームと同等の方法で、サイクリックプレフィックス３０４が各シンボル間に挿入される。
【００９３】
図１７に示すように、各ＬＴＥアップリンクサブフレームは、複数の異なるチャネル、例えば、物理アップリンク通信チャネル（ＰＵＳＣＨ）３０５、物理アップリンク制御チャネル（ＰＵＣＣＨ）３０６、および物理ランダムアクセスチャネル（ＰＲＡＣＨ）を含んでもよい。物理アップリンク制御チャネル（ＰＵＣＣＨ）は、例えば、ダウンリンク送信のためのｅＮｏｄｅＢへのＡＣＫ／ＮＡＣＫ、スケジューリングされたアップリンクリソースであることを望むＵＥのためのスケジューリングリクエストインジケータ（ＳＲＩ）、およびダウンリンクチャネル状態情報（ＣＳＩ）のフィードバックなどの制御情報を搬送し得る。ＰＵＳＣＨは、ＵＥアップリンクデータまたは何らかのアップリンク制御データを搬送してもよい。ＰＵＳＣＨのリソースはＰＤＣＣＨを介して付与され、このような付与は典型的にはＵＥにおいてバッファ内で送信可能なデータ量をネットワークに通信することによってトリガされる。ＰＲＡＣＨは、システム情報ブロックなどのダウンリンク信号においてＵＥにシグナリングされ得る複数のＰＲＡＣＨパターンのうちの１つに従って、アップリンクフレームのリソースのうちのいずれかにおいてスケジュールされてもよい。物理アップリンクチャネルと同様に、アップリンクサブフレームも参照信号を含んでいてもよい。例えば、復調参照信号（ＤＭＲＳ）３０７およびサウンディング参照信号（ＳＲＳ）３０８は、ＤＭＲＳが、ＰＵＳＣＨが送信され、ＰＵＣＣＨおよびＰＵＳＣＨデータの復号化に使用されるスロットの４番目のシンボルを占め、ＳＲＳがｅノードＢでのアップリンクチャネル推定に使用されるアップリンクサブフレームに存在してもよい。ｅＰＤＣＣＨチャネルはＰＤＣＣＨと同様の制御情報（ＤＣＩ）を搬送するが、ＰＤＣＣＨの物理的側面は本明細書の他の箇所で説明するように、ｅＰＤＣＣＨの物理的側面とは異なる。ＦＴＥシステムの物理チャネルの構造および機能に関するさらなる情報は、非引用文献１に見出すことができる。
【００９４】
ＰＤＳＣＨのリソースと同様に、ＰＵＳＣＨのリソースはサービングｅＮｏｄｅＢによってスケジュールまたは許可される必要がある。したがって、データがＵＥによって送信される場合、ＰＵＳＣＨのリソースは、ｅＮｏｄｅＢによってＵＥに許可される必要がある。ＵＥにおいて、ＰＵＳＣＨリソース割り当ては、スケジューリングリクエストまたはバッファステータスレポートを、そのサービスを提供するｅＮｏｄｅＢに送信することによって達成される。スケジューリングリクエストは、ＵＥがバッファステータスレポートを送信するのに十分なアップリンクリソースがないときは、ＵＥのための既存のＰＵＳＣＨ割り当てがない場合、ＰＵＣＣＨ上でのアップリンク制御情報（ＵＣＩ）の送信を介して、またはＵＥのための既存のＰＵＳＣＨ割り当てがある場合、ＰＵＳＣＨ上での直接の送信によって行われてもよい。スケジューリングリクエストに応答して、ｅＮｏｄｅＢは、バッファステータスレポートを転送するのに十分な要求ＵＥにＰＵＳＣＨリソースの一部を割り当て、その後、ＰＤＣＣＨ内のＤＣＩを介してバッファステータスレポートリソース割り当てをＵＥに通知するように構成される。一旦または仮にＵＥがバッファステータスレポートを送信するのに十分なＰＵＳＣＨリソースを有した場合、バッファステータスレポートはｅＮｏｄｅＢに送信され、ＵＥにおけるアップリンクバッファまたはバッファのデータ量に関するｅＮｏｄｅＢ情報を提供する。バッファステータスレポートを受信した後、ｅＮｏｄｅＢはバッファされたアップリンクデータの一部を送信するために、ＰＵＳＣＨリソースの一部を送信側ＵＥに割り当て、その後、ＰＤＣＣＨ内のＤＣＩを介して、リソース割り当てをＵＥに通知することができる。例えば、ＵＥがｅＮｏｄｅＢとの接続を有すると仮定すると、ＵＥは、まず、ＵＣＩの形式でＰＵＣＣＨにおいてＰＵＳＣＨリソースリクエストを送信する。次いで、ＵＥは適切なＤＣＩについてＰＤＣＣＨを監視し、ＰＵＳＣＨリソース割り当ての詳細を抽出し、最初にバッファステータスレポートを含み、かつ／または後にバッファされたデータの一部を含むアップリンクデータを、割り当てられたリソースにおいて送信する。
【００９５】
ダウンリンクサブフレームと構造が類似しているが、アップリンクサブフレームはダウンリンクサブフレームとは異なる制御構造を有し、特に、アップリンクサブフレームの上位（３０９）および下位（３１０）サブキャリア／周波数／リソースブロックはダウンリンクサブフレームの初期シンボルではなく、制御信号のためにリザーブされる。さらに、ダウンリンクおよびアップリンクのためのリソース割り当て手順は比較的類似しているが、割り当てられ得るリソースの実際の構造はダウンリンクおよびアップリンクでそれぞれ使用されるＯＦＤＭおよびＳＣ−ＦＤＭインタフェースの異なる特性のために変化し得る。ＯＦＤＭでは各サブキャリアは個々に変調される。したがって、周波数／サブキャリア割り当てが連続している必要はない。しかしながら、ＳＣ‐ＦＤＭサブキャリアでは、組み合わせて変調される。したがって、利用可能なリソースの効率的な使用がなされるならば、各ＵＥに対する連続した周波数割当てが好ましいこともある。
【図１】
2022502933.tif 000003
【図２】
2022502933.tif 000004
【図３】
2022502933.tif 000005
【図４】
2022502933.tif 000006
【図５】
2022502933.tif 000007
【図６】
2022502933.tif 000008
【図７】
2022502933.tif 000009
【図８】
2022502933.tif 000010
【図９】
2022502933.tif 000011
【図１０】
2022502933.tif 000012
【図１１】
2022502933.tif 000013
【図１２】
2022502933.tif 000014
【図１３】
2022502933.tif 000015
【図１４】
2022502933.tif 000016
【図１５】
2022502933.tif 000017
【図１６】
2022502933.tif 000018
【図１７】
2022502933.tif 000019
【国際調査報告】
2022502933.tif 000020
2022502933.tif 000021